(57)【要約】【課題】撮像装置に接続された各端末装置をネットワークで接続する必要がなく、観光地等で利用者の写真撮影を行いながら、行動履歴と対応付けてアルバムを作成することができるアルバム作成システムおよびアルバム作成方法を提供することを課題とする。【解決手段】撮影用情報端末装置は、利用者に利用者用記憶装置を提示させるよう出力部を制御し、通信部を制御して利用者用記憶装置を検出し、撮像装置を制御して利用者を含む画像を撮像し、利用者用記憶装置に、少なくとも画像情報と日時情報と位置情報／観光地情報とを含む撮影情報を格納する。アルバム作成用情報端末装置は、利用者に利用者用記憶装置を提示させるよう出力部を制御し、通信部を制御して利用者用記憶装置を検出して、当該利用者用記憶装置に格納された撮影情報を読込み、少なくとも撮影情報に基づいて、アルバム情報を編集して作成し、作成されたアルバム情報を印刷部に出力する。【選択図】        図１
2009169546.tif 000002
【特許請求の範囲】
【請求項１】
撮像装置に接続され少なくとも制御部と記憶部と出力部と通信部とを備えた撮影用情報端末装置と、少なくとも制御部と通信部と出力部と入力部と印刷部とを備えたアルバム作成用情報端末装置と、通信手段を備えた利用者用記憶装置と、を備えたアルバム作成システムであって、
上記撮影用情報端末装置の上記記憶部は、位置情報および／または観光地情報を記憶し、
上記撮影用情報端末装置の上記制御部は、
利用者に上記利用者用記憶装置を提示させるよう上記撮影用情報端末装置の上記出力部を制御し、上記撮影用情報端末装置の上記通信部を制御して上記利用者用記憶装置を検出する記憶装置検出手段と、
上記記憶装置検出手段により上記利用者用記憶装置が検出された場合に、上記撮像装置を制御して、上記利用者を含む画像を撮像する撮像手段と、
上記撮影用情報端末装置の上記通信部を制御して上記利用者用記憶装置に、少なくとも、上記撮像手段により撮像された画像情報と、撮像された日時情報と、上記記憶部に記憶された上記位置情報および／または上記観光地情報と、を含む撮影情報を格納する撮影情報格納手段と、
を備え、
上記アルバム作成用情報端末装置の上記制御部は、
上記利用者に上記利用者用記憶装置を提示させるよう上記アルバム作成用情報端末装置の上記出力部を制御し、上記アルバム作成用情報端末装置の上記通信部を制御して上記利用者用記憶装置を検出して、当該利用者用記憶装置に格納された上記撮影情報を読込む記憶装置検出読込手段と、
少なくとも、上記記憶装置検出読込手段により読込まれた上記撮影情報に基づいて、アルバム情報を編集して作成するアルバム情報作成手段と、
上記アルバム情報作成手段により作成された上記アルバム情報を上記印刷部に出力するアルバム印刷手段と、
を備えたことを特徴とするアルバム作成システム。
【請求項２】
請求項１に記載のアルバム作成システムにおいて、
上記撮影用情報端末装置の表面には、上記位置情報および／または上記観光地情報に関する名称が表示され、
上記撮像装置は、上記名称および上記利用者を１枚の画像中に撮像するよう設置されていること、
を特徴とするアルバム作成システム。
【請求項３】
請求項１または２に記載のアルバム作成システムにおいて、
上記アルバム作成用情報端末装置は、
アンケート設問情報を記憶する記憶部と制御部を少なくとも備えたアンケート収集装置にネットワークを介して接続され、
上記アルバム作成用情報端末装置の上記制御部は、
上記記憶装置検出読込手段により上記利用者用記憶装置が検出された場合に、上記利用者に上記入力部を介して、当該利用者の属性情報を入力させるよう上記アルバム作成用情報端末装置の上記出力部を制御する属性情報入力制御手段と、
少なくとも上記属性情報をキーとして、上記ネットワークを介して上記アンケート収集装置に問合せ、上記アンケート収集装置の上記記憶部に記憶された対応する上記アンケート設問情報を取得し、取得した上記アンケート設問情報を上記アルバム作成用情報端末装置の上記出力部に出力して、上記利用者にアンケート回答情報を入力させるよう制御する問合せ制御手段と、
少なくとも、上記問合せ制御手段により上記利用者に入力された上記アンケート回答情報を、上記属性情報に対応付けて上記アンケート収集装置に上記ネットワークを介して送信する回答情報送信手段と、
を更に備えたことを特徴とするアルバム作成システム。
【請求項４】
請求項３に記載のアルバム作成システムにおいて、
上記アンケート収集装置の上記記憶部は、
上記位置情報、上記観光地情報、および上記日時情報の少なくとも一つに対応付けて、天候情報および／またはイベント情報を更に記憶し、
上記問合せ制御手段は、
上記記憶装置検出読込手段により読込まれた、上記位置情報、上記観光地情報、および上記日時情報の少なくとも一つをキーとして、上記ネットワークを介して上記アンケート収集装置に問合せ、上記アンケート収集装置の上記記憶部に記憶された対応する上記天候情報および／または上記イベント情報を取得し、
上記アルバム情報作成手段は、
上記問合せ制御手段により取得された上記天候情報および／または上記イベント情報を更に用いて、上記アルバム情報を編集すること、
を特徴とするアルバム作成システム。
【請求項５】
撮像装置に接続され少なくとも制御部と記憶部と出力部と通信部とを備えた撮影用情報端末装置と、少なくとも制御部と通信部と出力部と入力部と印刷部とを備えたアルバム作成用情報端末装置と、通信手段を備えた利用者用記憶装置と、を備えたアルバム作成システムにおいて実行されるアルバム作成方法であって、
上記撮影用情報端末装置の上記記憶部は、位置情報および／または観光地情報を記憶しており、
上記撮影用情報端末装置の上記制御部において実行される、
利用者に上記利用者用記憶装置を提示させるよう上記撮影用情報端末装置の上記出力部を制御し、上記撮影用情報端末装置の上記通信部を制御して上記利用者用記憶装置を検出する記憶装置検出ステップと、
上記撮影用情報端末装置の上記制御部において実行される、
上記記憶装置検出ステップにて上記利用者用記憶装置が検出された場合に、上記撮像装置を制御して、上記利用者を含む画像を撮像する撮像ステップと、
上記撮影用情報端末装置の上記制御部において実行される、
上記撮影用情報端末装置の上記通信部を制御して上記利用者用記憶装置に、少なくとも、上記撮像ステップにて撮像された画像情報と、撮像された日時情報と、上記記憶部に記憶された上記位置情報および／または上記観光地情報と、を含む撮影情報を格納する撮影情報格納ステップと、
上記アルバム作成用情報端末装置の上記制御部において実行される、
上記利用者に上記利用者用記憶装置を提示させるよう上記アルバム作成用情報端末装置の上記出力部を制御し、上記アルバム作成用情報端末装置の上記通信部を制御して上記利用者用記憶装置を検出して、当該利用者用記憶装置に格納された上記撮影情報を読込む記憶装置検出読込ステップと、
上記アルバム作成用情報端末装置の上記制御部において実行される、
少なくとも、上記記憶装置検出読込ステップにて読込まれた上記撮影情報に基づいて、アルバム情報を編集して作成するアルバム情報作成ステップと、
上記アルバム作成用情報端末装置の上記制御部において実行される、
上記アルバム情報作成ステップにて作成された上記アルバム情報を上記印刷部に出力するアルバム印刷ステップと、
を含むことを特徴とするアルバム作成方法。
【請求項６】
請求項５に記載のアルバム作成方法において、
上記撮影用情報端末装置の表面には、上記位置情報および／または上記観光地情報に関する名称が表示されており、
上記撮像装置は、上記名称および上記利用者を１枚の画像中に撮像するよう設置されていること、
を特徴とするアルバム作成方法。
【請求項７】
請求項５または６に記載のアルバム作成方法において、
上記アルバム作成用情報端末装置は、アンケート設問情報を記憶する記憶部と制御部を少なくとも備えたアンケート収集装置にネットワークを介して接続されており、
上記アルバム作成用情報端末装置の上記制御部において実行される、
上記記憶装置検出読込ステップにて上記利用者用記憶装置が検出された場合に、上記利用者に上記入力部を介して、当該利用者の属性情報を入力させるよう上記アルバム作成用情報端末装置の上記出力部を制御する属性情報入力制御ステップと、
上記アルバム作成用情報端末装置の上記制御部において実行される、
少なくとも上記属性情報をキーとして、上記ネットワークを介して上記アンケート収集装置に問合せ、上記アンケート収集装置の上記記憶部に記憶された対応する上記アンケート設問情報を取得し、取得した上記アンケート設問情報を上記アルバム作成用情報端末装置の上記出力部に出力して、上記利用者にアンケート回答情報を入力させるよう制御する問合せ制御ステップと、
上記アルバム作成用情報端末装置の上記制御部において実行される、
少なくとも、上記問合せ制御ステップにて上記利用者に入力された上記アンケート回答情報を、上記属性情報に対応付けて上記アンケート収集装置に上記ネットワークを介して送信する回答情報送信ステップと、
を更に含むことを特徴とするアルバム作成方法。
【請求項８】
請求項７に記載のアルバム作成方法において、
上記アンケート収集装置の上記記憶部は、上記位置情報、上記観光地情報、および上記日時情報の少なくとも一つに対応付けて、天候情報および／またはイベント情報を更に記憶しており、
上記アルバム作成用情報端末装置の上記制御部において実行される上記問合せ制御ステップは、
上記記憶装置検出読込ステップにて読込まれた、上記位置情報、上記観光地情報、および上記日時情報の少なくとも一つをキーとして、上記ネットワークを介して上記アンケート収集装置に問合せ、上記アンケート収集装置の上記記憶部に記憶された対応する上記天候情報および／または上記イベント情報を取得し、
上記アルバム作成用情報端末装置の上記制御部において実行される上記アルバム情報作成ステップは、
上記問合せ制御ステップにて取得された上記天候情報および／または上記イベント情報を更に用いて、上記アルバム情報を編集すること、
を特徴とするアルバム作成方法。
【発明の詳細な説明】
【技術分野】
【０００１】
本発明は、アルバム作成システム、および、アルバム作成方法に関する。
【背景技術】
【０００２】
近年、街頭やコンビニ等の店舗内には、液晶画面に情報を表示して、タッチパネル等を利用して操作が可能な情報端末装置、いわゆるキオスク端末が設置されている。
【０００３】
例えば、キオスク端末は、駅や役所での交通・観光案内、チケットのオンライン販売やデジタルカメラ画像のプリント、銀行のＡＴＭサービスなどのサービスを提供する等に利用されている。
【０００４】
ここで、カメラや記憶媒体が接続される情報端末装置としては、特許文献１〜３に記載の装置がある。すなわち、特許文献１は、デジタルカメラを接続して写真プリントを行うことができる店頭端末装置であって、デジタルカメラのフラッシュＲＯＭに累積ポイント情報を記憶させて、累積ポイントに応じて無料プリント等の副サービスを受けられるように構成したものである。
【０００５】
また、特許文献２は、カメラに接続された情報端末装置であって、利用者がゴルフクラブを選択してスイングすると、その画像を撮像して情報処理を行い、スイング特性を算出し、最適なゴルフクラブを決定表示するものである。
【０００６】
また、特許文献３は、デジタルカメラのプリントサービスを支援して、その申し込み手続の時間短縮を図る端末装置であって、記録媒体の貸し出し・返却を受付、サービス情報と個人情報とを記録した記録媒体を貸し出し、受付時に記録媒体に記録された情報に基づいてプリントサービスを受け付けるものである。
【０００７】
また、ここで、利用者からの画像情報を管理してアルバム情報を作成する技術としては、特許文献４〜６が存在する。すなわち、特許文献４は、利用者が電子的に画像を閲覧・注文することを可能にする画像管理方法であって、利用者が携帯電話から画像サービス端末に画像データを読取らせると、画像データがネットワーク上の画像管理センターに蓄積される。そして、画像管理センターは、画像データから電子的画像アルバムを作成し、利用者が電子的画像アルバムを閲覧して画像を注文すると、注文データに基づいて注文画像を複数の画像サービス端末のうちのいずれかで準備させ、利用者に渡すために保管する方法である。
【０００８】
また、特許文献５は、画像データとＧＰＳ情報等の付与情報を記憶した記憶媒体を挿入すると、検索条件の入力画面が表示され、利用者により検索条件が入力されると、付与情報に基づいて画像データを抽出し、ユーザーの選択やレイアウト指示に基づいてアルバム画像データを作成し、印刷出力する装置である。
【０００９】
また、特許文献６は、利用者は、携帯電話を提示して情報端末装置を介してアルバムサービスサーバにアクセスし、地図情報に対応付けてコメント等を送信することにより、アルバム情報を作成するシステムである。
【００１０】
また、ここで、利用者からアンケートの回答結果を収集する技術として、特許文献７と特許文献８に記載の方法・システムが存在する。すなわち、特許文献７に記載の方法は、企業の顧客満足度調査をコンピュータにより行う電子アンケート収集システムにおいて、回答者ごとの既存情報（顧客属性、購買履歴、動線データ等）により質問項目を自動的に選択して表示し、入力された回答データにより既存情報を変更して管理することにより、無駄な質問や重複した質問を回避でき、正確な回答データを得ることができる方法である。
【００１１】
また、特許文献８に記載のシステムは、ネットワークで接続された自治体業務システムから利用者の個人情報を取得し、個人情報とアンケート項目データベースのアンケート属性を比較してアンケートを抽出し、履歴管理データベースを設けることによって２重回答を防止し、業務サービスの処理待ち時間を利用したアンケートを実施するシステムである。
【００１２】
【特許文献１】特開２００６−４０２０８号公報
【特許文献２】特開２００４−５３４５８３号公報
【特許文献３】特開２００３−２４２２３８号公報
【特許文献４】特許第３７３７０８４号公報
【特許文献５】特開平１１−１７５５３３号公報
【特許文献６】特開２００６−２４２２８号公報
【特許文献７】特開平７−１４１３２２号公報
【特許文献８】特開２００３−１７８１６６号公報
【発明の開示】
【発明が解決しようとする課題】
【００１３】
しかしながら、従来の情報端末装置においては、観光地等で利用者の写真撮影を行いながら、利用者が観光した行動履歴と対応付けてアルバムを作成するものが存在しなかった。
【００１４】
特に、特許文献１〜３に記載のように、カメラに接続される情報端末装置では、観光地等において良い構図で写真を撮ることが難しく、どこで撮ったものか管理することが煩雑であり、携帯カメラやデジタルカメラでは操作が難しいという問題がある。また、観光地等において利用者の写真撮影を行って、行動履歴と対応付けたアルバムを作成できる構成ではない等、利用者の種々の要求に応えることができないという問題があった。
【００１５】
また、特許文献４〜６に記載のアルバム情報作成技術においては、サーバ装置等が、ネットワークを介して端末装置から、利用者の画像情報を蓄積し、アルバム情報を作成するものであるが、各端末装置がネットワークで接続される必要があり、また、端末装置は利用者の写真撮影を行う構成ではないという問題点を有していた。
【００１６】
また、特許文献７および８に記載のアンケート収集技術は、利用者に観光等の行動履歴に関するアンケートに回答させるためのインセンティブとなるものがないという問題を有する。
【００１７】
本発明は、上記に鑑みてなされたもので、撮像装置に接続された各端末装置をネットワークで接続する必要がなく、観光地等で利用者の写真撮影を行うことができ、利用者が観光した行動履歴と対応付けてアルバムを作成することができるアルバム作成システム、および、アルバム作成方法を提供することを目的とする。また、その際に、利用者に対して観光等の行動履歴に関するアンケートに回答させるためのインセンティブを与えることができるアルバム作成システム、および、アルバム作成方法を提供することを目的とする。
【課題を解決するための手段】
【００１８】
このような目的を達成するため、請求項１に記載のアルバム作成システムは、撮像装置に接続され少なくとも制御部と記憶部と出力部と通信部とを備えた撮影用情報端末装置と、少なくとも制御部と通信部と出力部と入力部と印刷部とを備えたアルバム作成用情報端末装置と、通信手段を備えた利用者用記憶装置と、を備えたアルバム作成システムであって、上記撮影用情報端末装置の上記記憶部は、位置情報および／または観光地情報を記憶し、上記撮影用情報端末装置の上記制御部は、利用者に上記利用者用記憶装置を提示させるよう上記撮影用情報端末装置の上記出力部を制御し、上記撮影用情報端末装置の上記通信部を制御して上記利用者用記憶装置を検出する記憶装置検出手段と、上記記憶装置検出手段により上記利用者用記憶装置が検出された場合に、上記撮像装置を制御して、上記利用者を含む画像を撮像する撮像手段と、上記撮影用情報端末装置の上記通信部を制御して上記利用者用記憶装置に、少なくとも、上記撮像手段により撮像された画像情報と、撮像された日時情報と、上記記憶部に記憶された上記位置情報および／または上記観光地情報と、を含む撮影情報を格納する撮影情報格納手段と、を備え、上記アルバム作成用情報端末装置の上記制御部は、上記利用者に上記利用者用記憶装置を提示させるよう上記アルバム作成用情報端末装置の上記出力部を制御し、上記アルバム作成用情報端末装置の上記通信部を制御して上記利用者用記憶装置を検出して、当該利用者用記憶装置に格納された上記撮影情報を読込む記憶装置検出読込手段と、少なくとも、上記記憶装置検出読込手段により読込まれた上記撮影情報に基づいて、アルバム情報を編集して作成するアルバム情報作成手段と、上記アルバム情報作成手段により作成された上記アルバム情報を上記印刷部に出力するアルバム印刷手段と、を備えたことを特徴とする。
【００１９】
この発明によれば、撮影用情報端末装置の記憶部は、位置情報および／または観光地情報を記憶し、撮影用情報端末装置の制御部は、利用者に利用者用記憶装置を提示させるよう撮影用情報端末装置の出力部を制御し、撮影用情報端末装置の通信部を制御して利用者用記憶装置を検出し、利用者用記憶装置が検出された場合に、撮像装置を制御して、利用者を含む画像を撮像し、撮影用情報端末装置の通信部を制御して利用者用記憶装置に、少なくとも、撮像された画像情報と、撮像された日時情報と、記憶部に記憶された位置情報および／または観光地情報と、を含む撮影情報を格納し、アルバム作成用情報端末装置の制御部は、利用者に利用者用記憶装置を提示させるようアルバム作成用情報端末装置の出力部を制御し、アルバム作成用情報端末装置の通信部を制御して利用者用記憶装置を検出して、当該利用者用記憶装置に格納された撮影情報を読込み、少なくとも、読込まれた撮影情報に基づいて、アルバム情報を編集して作成し、作成されたアルバム情報を印刷部に出力するので、撮像装置に接続された各端末装置をネットワークで接続する必要がなく、観光地等で利用者の写真撮影を行いながら、利用者が観光した行動履歴と対応付けてアルバムを作成することができる。
【００２０】
また、請求項２に記載のアルバム作成システムは、請求項１に記載のアルバム作成システムにおいて、上記撮影用情報端末装置の表面には、上記位置情報および／または上記観光地情報に関する名称が表示され、上記撮像装置は、上記名称および上記利用者を１枚の画像中に撮像するよう設置されていること、を特徴とする。
【００２１】
この発明によれば、撮影用情報端末装置の表面には、位置情報および／または観光地情報に関する名称が表示され、撮像装置は、名称および利用者を１枚の画像中に撮像するよう設置されているので、観光地に関する名称を含む利用者の画像を撮像することができる。
【００２２】
また、請求項３に記載のアルバム作成システムは、請求項１または２に記載のアルバム作成システムにおいて、上記アルバム作成用情報端末装置は、アンケート設問情報を記憶する記憶部と制御部を少なくとも備えたアンケート収集装置にネットワークを介して接続され、上記アルバム作成用情報端末装置の上記制御部は、上記記憶装置検出読込手段により上記利用者用記憶装置が検出された場合に、上記利用者に上記入力部を介して、当該利用者の属性情報を入力させるよう上記アルバム作成用情報端末装置の上記出力部を制御する属性情報入力制御手段と、少なくとも上記属性情報をキーとして、上記ネットワークを介して上記アンケート収集装置に問合せ、上記アンケート収集装置の上記記憶部に記憶された対応する上記アンケート設問情報を取得し、取得した上記アンケート設問情報を上記アルバム作成用情報端末装置の上記出力部に出力して、上記利用者にアンケート回答情報を入力させるよう制御する問合せ制御手段と、少なくとも、上記問合せ制御手段により上記利用者に入力された上記アンケート回答情報を、上記属性情報に対応付けて上記アンケート収集装置に上記ネットワークを介して送信する回答情報送信手段と、を更に備えたことを特徴とする。
【００２３】
この発明によれば、アルバム作成用情報端末装置の制御部は、更に、利用者用記憶装置が検出された場合に、利用者に入力部を介して、当該利用者の属性情報を入力させるようアルバム作成用情報端末装置の出力部を制御し、少なくとも属性情報をキーとして、ネットワークを介してアンケート収集装置に問合せ、アンケート収集装置の記憶部に記憶された対応するアンケート設問情報を取得し、取得したアンケート設問情報をアルバム作成用情報端末装置の出力部に出力して、利用者にアンケート回答情報を入力させるよう制御し、少なくとも、利用者に入力されたアンケート回答情報を、属性情報に対応付けてアンケート収集装置にネットワークを介して送信するので、利用者に対して観光等の行動履歴に関するアンケートに回答させるためのインセンティブを与えながら、アンケート回答情報を収集することができる。
【００２４】
また、請求項４に記載のアルバム作成システムは、請求項３に記載のアルバム作成システムにおいて、上記アンケート収集装置の上記記憶部は、上記位置情報、上記観光地情報、および上記日時情報の少なくとも一つに対応付けて、天候情報および／またはイベント情報を更に記憶し、上記問合せ制御手段は、上記記憶装置検出読込手段により読込まれた、上記位置情報、上記観光地情報、および上記日時情報の少なくとも一つをキーとして、上記ネットワークを介して上記アンケート収集装置に問合せ、上記アンケート収集装置の上記記憶部に記憶された対応する上記天候情報および／または上記イベント情報を取得し、上記アルバム情報作成手段は、上記問合せ制御手段により取得された上記天候情報および／または上記イベント情報を更に用いて、上記アルバム情報を編集すること、を特徴とする。
【００２５】
この発明によれば、アンケート収集装置の記憶部は、更に、位置情報、観光地情報、および日時情報の少なくとも一つに対応付けて、天候情報および／またはイベント情報を更に記憶し、アルバム作成用情報端末装置の制御部は、更に、読込まれた、位置情報、観光地情報、および日時情報の少なくとも一つをキーとして、ネットワークを介してアンケート収集装置に問合せ、アンケート収集装置の記憶部に記憶された対応する天候情報および／またはイベント情報を取得し、取得された天候情報および／またはイベント情報を更に用いて、アルバム情報を編集するので、天候情報やイベント情報と取り入れて更に詳しいアルバム情報を作成することができる。
【００２６】
また、請求項５に記載のアルバム作成方法は、撮像装置に接続され少なくとも制御部と記憶部と出力部と通信部とを備えた撮影用情報端末装置と、少なくとも制御部と通信部と出力部と入力部と印刷部とを備えたアルバム作成用情報端末装置と、通信手段を備えた利用者用記憶装置と、を備えたアルバム作成システムにおいて実行されるアルバム作成方法であって、上記撮影用情報端末装置の上記記憶部は、位置情報および／または観光地情報を記憶しており、上記撮影用情報端末装置の上記制御部において実行される、利用者に上記利用者用記憶装置を提示させるよう上記撮影用情報端末装置の上記出力部を制御し、上記撮影用情報端末装置の上記通信部を制御して上記利用者用記憶装置を検出する記憶装置検出ステップと、上記撮影用情報端末装置の上記制御部において実行される、上記記憶装置検出ステップにて上記利用者用記憶装置が検出された場合に、上記撮像装置を制御して、上記利用者を含む画像を撮像する撮像ステップと、上記撮影用情報端末装置の上記制御部において実行される、上記撮影用情報端末装置の上記通信部を制御して上記利用者用記憶装置に、少なくとも、上記撮像ステップにて撮像された画像情報と、撮像された日時情報と、上記記憶部に記憶された上記位置情報および／または上記観光地情報と、を含む撮影情報を格納する撮影情報格納ステップと、上記アルバム作成用情報端末装置の上記制御部において実行される、上記利用者に上記利用者用記憶装置を提示させるよう上記アルバム作成用情報端末装置の上記出力部を制御し、上記アルバム作成用情報端末装置の上記通信部を制御して上記利用者用記憶装置を検出して、当該利用者用記憶装置に格納された上記撮影情報を読込む記憶装置検出読込ステップと、上記アルバム作成用情報端末装置の上記制御部において実行される、少なくとも、上記記憶装置検出読込ステップにて読込まれた上記撮影情報に基づいて、アルバム情報を編集して作成するアルバム情報作成ステップと、上記アルバム作成用情報端末装置の上記制御部において実行される、上記アルバム情報作成ステップにて作成された上記アルバム情報を上記印刷部に出力するアルバム印刷ステップと、を含むことを特徴とする。
【００２７】
この発明によれば、撮影用情報端末装置の記憶部は、位置情報および／または観光地情報を記憶しており、撮影用情報端末装置の制御部において、利用者に利用者用記憶装置を提示させるよう撮影用情報端末装置の出力部を制御し、撮影用情報端末装置の通信部を制御して利用者用記憶装置を検出し、利用者用記憶装置が検出された場合に、撮像装置を制御して、利用者を含む画像を撮像し、撮影用情報端末装置の通信部を制御して利用者用記憶装置に、少なくとも、撮像された画像情報と、撮像された日時情報と、記憶部に記憶された位置情報および／または観光地情報と、を含む撮影情報を格納し、アルバム作成用情報端末装置の制御部において、利用者に利用者用記憶装置を提示させるようアルバム作成用情報端末装置の出力部を制御し、アルバム作成用情報端末装置の通信部を制御して利用者用記憶装置を検出して、当該利用者用記憶装置に格納された撮影情報を読込み、少なくとも、読込まれた撮影情報に基づいて、アルバム情報を編集して作成し、作成されたアルバム情報を印刷部に出力するので、撮像装置に接続された各端末装置をネットワークで接続する必要がなく、観光地等で利用者の写真撮影を行いながら、利用者が観光した行動履歴と対応付けてアルバムを作成することができる。
【００２８】
また、請求項６に記載のアルバム作成方法は、請求項５に記載のアルバム作成方法において、上記撮影用情報端末装置の表面には、上記位置情報および／または上記観光地情報に関する名称が表示されており、上記撮像装置は、上記名称および上記利用者を１枚の画像中に撮像するよう設置されていること、を特徴とする。
【００２９】
この発明によれば、撮影用情報端末装置の表面には、位置情報および／または観光地情報に関する名称が表示されており、撮像装置は、名称および利用者を１枚の画像中に撮像するよう設置されているので、観光地に関する名称を含む利用者の画像を撮像することができる。
【００３０】
また、請求項７に記載のアルバム作成方法は、請求項５または６に記載のアルバム作成方法において、上記アルバム作成用情報端末装置は、アンケート設問情報を記憶する記憶部と制御部を少なくとも備えたアンケート収集装置にネットワークを介して接続されており、上記アルバム作成用情報端末装置の上記制御部において実行される、上記記憶装置検出読込ステップにて上記利用者用記憶装置が検出された場合に、上記利用者に上記入力部を介して、当該利用者の属性情報を入力させるよう上記アルバム作成用情報端末装置の上記出力部を制御する属性情報入力制御ステップと、上記アルバム作成用情報端末装置の上記制御部において実行される、少なくとも上記属性情報をキーとして、上記ネットワークを介して上記アンケート収集装置に問合せ、上記アンケート収集装置の上記記憶部に記憶された対応する上記アンケート設問情報を取得し、取得した上記アンケート設問情報を上記アルバム作成用情報端末装置の上記出力部に出力して、上記利用者にアンケート回答情報を入力させるよう制御する問合せ制御ステップと、上記アルバム作成用情報端末装置の上記制御部において実行される、少なくとも、上記問合せ制御ステップにて上記利用者に入力された上記アンケート回答情報を、上記属性情報に対応付けて上記アンケート収集装置に上記ネットワークを介して送信する回答情報送信ステップと、を更に含むことを特徴とする。
【００３１】
この発明によれば、アルバム作成用情報端末装置の制御部において、更に、利用者用記憶装置が検出された場合に、利用者に入力部を介して、当該利用者の属性情報を入力させるようアルバム作成用情報端末装置の出力部を制御し、少なくとも属性情報をキーとして、ネットワークを介してアンケート収集装置に問合せ、アンケート収集装置の記憶部に記憶された対応するアンケート設問情報を取得し、取得したアンケート設問情報をアルバム作成用情報端末装置の出力部に出力して、利用者にアンケート回答情報を入力させるよう制御し、少なくとも、利用者に入力されたアンケート回答情報を、属性情報に対応付けてアンケート収集装置にネットワークを介して送信するので、利用者に対して観光等の行動履歴に関するアンケートに回答させるためのインセンティブを与えながら、アンケート回答情報を収集することができる。
【００３２】
また、請求項８に記載のアルバム作成方法は、請求項７に記載のアルバム作成方法において、上記アンケート収集装置の上記記憶部は、上記位置情報、上記観光地情報、および上記日時情報の少なくとも一つに対応付けて、天候情報および／またはイベント情報を更に記憶しており、上記アルバム作成用情報端末装置の上記制御部において実行される上記問合せ制御ステップは、上記記憶装置検出読込ステップにて読込まれた、上記位置情報、上記観光地情報、および上記日時情報の少なくとも一つをキーとして、上記ネットワークを介して上記アンケート収集装置に問合せ、上記アンケート収集装置の上記記憶部に記憶された対応する上記天候情報および／または上記イベント情報を取得し、上記アルバム作成用情報端末装置の上記制御部において実行される上記アルバム情報作成ステップは、上記問合せ制御ステップにて取得された上記天候情報および／または上記イベント情報を更に用いて、上記アルバム情報を編集すること、を特徴とする。
【００３３】
この発明によれば、アンケート収集装置の記憶部は、更に、位置情報、観光地情報、および日時情報の少なくとも一つに対応付けて、天候情報および／またはイベント情報を更に記憶しており、アルバム作成用情報端末装置の制御部において、更に、読込まれた、位置情報、観光地情報、および日時情報の少なくとも一つをキーとして、ネットワークを介してアンケート収集装置に問合せ、アンケート収集装置の記憶部に記憶された対応する天候情報および／またはイベント情報を取得し、取得された天候情報および／またはイベント情報を更に用いて、アルバム情報を編集するので、天候情報やイベント情報と取り入れて更に詳しいアルバム情報を作成することができる。
【発明の効果】
【００３４】
この発明によれば、撮像装置に接続された各端末装置をネットワークで接続する必要がなく、観光地等で利用者の写真撮影を行いながら、利用者が観光した行動履歴と対応付けてアルバムを作成することができる。また、利用者に対して観光等の行動履歴に関するアンケートに回答させるためのインセンティブを与えながら、アンケート回答情報を収集することができる。また、収集した属性情報やアンケート回答情報を用いて、マーケティングに活用することができる。
【発明を実施するための最良の形態】
【００３５】
以下に、本発明にかかるアルバム作成システム、および、アルバム作成方法の実施の形態を図面に基づいて詳細に説明する。なお、この実施の形態によりこの発明が限定されるものではない。
【００３６】
［本発明の概要］
以下、本発明の概要について説明し、その後、本発明の構成および処理等について詳細に説明する。図１は、本発明の基本原理を示すフローチャートである。
【００３７】
本発明は、概略的に、以下の基本的特徴を有する。すなわち、本発明は、撮像装置に接続され少なくとも制御部と記憶部と出力部と通信部とを備えた撮影用情報端末装置と、少なくとも制御部と通信部と出力部と入力部と印刷部とを備えたアルバム作成用情報端末装置と、通信手段を備えた利用者用記憶装置と、を備えたアルバム作成システムである。ここで、撮影用情報端末装置の表面には、位置情報および／または観光地情報に関する名称が表示されてもよい。
【００３８】
まず、本アルバム作成システムにおいて、撮影用情報端末装置は、位置情報および／または観光地情報を記憶する（ステップＳＡ−１）。ここで、「位置情報」とは、観光地等において撮影用情報端末装置が設置された位置を表す情報であり、例えば、住所や緯度・経度等の情報である。また、「観光地情報」とは、撮影用情報端末装置が設置された観光地を表す情報であり、例えば、観光地を表す名称や記号や数字や説明等の情報である。
【００３９】
つぎに、撮影用情報端末装置は、利用者に利用者用記憶装置を提示させるよう撮影用情報端末装置の出力部を制御し、撮影用情報端末装置の通信部を制御して利用者用記憶装置を検出する（ステップＳＡ−２）。
【００４０】
そして、撮影用情報端末装置は、撮像装置を制御して、利用者を含む画像を撮像する（ステップＳＡ−３）。
【００４１】
そして、撮影用情報端末装置は、撮影用情報端末装置の通信部を制御して利用者用記憶装置に、少なくとも、撮像された画像情報と、撮像された日時情報と、記憶部に記憶された位置情報および／または観光地情報と、を含む撮影情報を格納する（ステップＳＡ−４）。ここで、「日時情報」とは、画像が撮像された時間を表す情報であり、例えば、年／月／日／時／分／秒のうち少なくとも一つを含む情報である。
【００４２】
つづいて、アルバム作成用情報端末装置は、利用者に利用者用記憶装置を提示させるようアルバム作成用情報端末装置の出力部を制御し、アルバム作成用情報端末装置の通信部を制御して利用者用記憶装置を検出して、当該利用者用記憶装置に格納された撮影情報を読込む（ステップＳＡ−５）。
【００４３】
そして、アルバム作成用情報端末装置は、少なくとも、読込まれた撮影情報に基づいて、アルバム情報を編集して作成する（ステップＳＡ−６）。
【００４４】
そして、アルバム作成用情報端末装置は、作成されたアルバム情報を印刷部に出力する（ステップＳＡ−７）。
【００４５】
以上が本発明の概要である。ここで、アルバム作成用情報端末装置は、アンケート設問情報を記憶する記憶部と制御部を少なくとも備えたアンケート収集装置にネットワークを介して接続されてもよい。
【００４６】
このような構成において、アルバム作成用情報端末装置は、利用者用記憶装置が検出された場合に、利用者に入力部を介して、当該利用者の属性情報を入力させるようアルバム作成用情報端末装置の出力部を制御する。
【００４７】
そして、アルバム作成用情報端末装置は、少なくとも属性情報をキーとして、ネットワークを介してアンケート収集装置に問合せ、アンケート収集装置の記憶部に記憶された対応するアンケート設問情報を取得し、取得したアンケート設問情報をアルバム作成用情報端末装置の出力部に出力して、利用者にアンケート回答情報を入力させるよう制御する。
【００４８】
そして、アルバム作成用情報端末装置は、少なくとも、利用者に入力されたアンケート回答情報を、属性情報に対応付けてアンケート収集装置にネットワークを介して送信する。以上で、本発明の概要の説明を終える。
【００４９】
［アルバム作成システムの構成］
まず、本アルバム作成システムの構成について説明する。本アルバム作成システムは、利用者用記憶装置１０と、撮影用情報端末装置１００と、アルバム作成用情報端末装置２００と、アンケート収集装置４００とを備えて構成される。ここで、図２は、利用者用記憶装置１０の構成の一例を示すブロック図である。
【００５０】
図２に示すように、利用者用記憶装置１０は、アンテナ等の通信部１４と記憶部１６とを備えて構成される。一例として、利用者用記憶装置１０は、非接触ＩＣカードとして構成してもよく、非接触ＩＣカード技術を内蔵した携帯電話として構成してもよい。
【００５１】
ここで、図３は、本アルバム作成システムを構成する撮影用情報端末装置１００の構成の一例を示すブロック図であり、該構成のうち本発明に関係する部分のみを概念的に示している。図３において、撮影用情報端末装置１００は、概略的に、撮影用情報端末装置１００の全体を統括的に制御するＣＰＵ等の制御部１０２、アンテナ等の通信部（図示せず）に接続される通信制御インターフェース部１０４、撮像装置１１２や出力装置１１４に接続される入出力制御インターフェース部１０８、および、各種のデータベースやテーブルなどを格納する記憶部１０６を備えて構成されており、これら各部は任意の通信路を介して通信可能に接続されている。
【００５２】
記憶部１０６に格納される各種のデータベースやテーブル（位置・観光地ファイル１０６ａ）は、固定ディスク装置等のストレージ手段であり、各種処理に用いる各種のプログラムやテーブルやファイルやデータベース等を格納する。
【００５３】
これら記憶部１０６の各構成要素のうち、位置・観光地ファイル１０６ａは、位置情報および／または観光地情報（以下、「位置情報・観光地情報」と表記する。）を記憶する位置情報・観光地情報記憶手段である。図８は、位置・観光地ファイル１０６ａに格納される位置情報・観光地情報の一例を示す図である。この位置・観光地ファイル１０６ａに格納される情報は、一例として図８に示すように、名所・史跡の位置情報、および、名所・史跡の名称・説明・その他の観光地情報を含む。ここで、位置情報は、観光地（名所・史跡）等において撮影用情報端末装置１００が設置された位置を表す情報であり、例えば、住所や緯度・経度等の情報であってもよい。また、観光地情報は、撮影用情報端末装置１００が設置された観光地に関する情報であり、例えば、観光地を表す名称や説明等の他、観光地を一意に特定する数字や記号等であってもよい。
【００５４】
再び図３に戻り、通信制御インターフェース部１０４は、撮影用情報端末装置１００と利用者用記憶装置１０（またはＩＣカードリーダライタ等の通信部）との間における通信制御を行う。すなわち、通信制御インターフェース部１０４は、利用者用記憶装置１０と有線または無線でデータを通信する機能を有する。
【００５５】
また、図３において、入出力制御インターフェース部１０８は、撮像装置１１２や出力装置１１４の制御を行う。ここで、出力装置１１４としては、モニタ（家庭用テレビを含む。）の他、スピーカを用いることができる（なお、以下においては出力装置１１４をモニタとして記載する場合がある）。また、出力装置１１４は、入力デバイスを備えたタッチパネルとして構成してもよい。また、撮像装置１１２としては、デジタルカメラ等を用いることができる。ここで、図４〜図６は、撮像装置１１２に接続された撮影用情報端末装置１００の物理構成の一例を示す図である。
【００５６】
図４に示すように、撮像装置１１２は、利用者を含む観光地の画像を撮像できるよう設置されている。ここで、撮像装置１１２の正面には、カメラマンの看板を取り付けてもよい。また、一例として図５に示すように、撮影用情報端末装置１００は、利用者が画面を見て操作し易いように設置されている。ここで、撮影用情報端末装置１００の表面には、位置情報・観光地情報に関する名称が表示されもよい（例えば、「兼六園」と記載された名所・旧跡の看板等）。また、一例として図６に示すように、撮影用情報端末装置１００と撮像装置１１２は、ケーブル等で接続されており、名称および利用者を１枚の画像中に撮像できるよう設置されている。ここで、好適には、撮影用情報端末装置１００と撮像装置１１２との位置関係は、撮像装置１１２の撮像方向に、撮影用情報端末装置１００の本体上の名称の表示が見えるように設置され、撮影用情報端末装置１００の表示と利用者とを、名所・旧跡を背景とした適切な構図で画像が撮像されるよう設置されていてもよい。これにより、名所・史跡等のよい景色を背景に利用者（観光客）の写真を適切な構図で撮影することができる。
【００５７】
また、図３において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、記憶装置検出部１０２ａ、撮像部１０２ｂ、撮影情報格納部１０２ｃを備えて構成されている。
【００５８】
このうち、記憶装置検出部１０２ａは、利用者に利用者用記憶装置１０を提示させるよう出力装置１１４を制御し、通信制御インターフェース部１０４を制御して利用者用記憶装置１０を検出する記憶装置検出手段である。
【００５９】
また、撮像部１０２ｂは、記憶装置検出部１０２ａにより利用者用記憶装置１０が検出された場合に、撮像装置１１２を制御して、利用者を含む画像を撮像する撮像手段である。
【００６０】
また、撮影情報格納部１０２ｃは、通信制御インターフェース部１０４を制御して利用者用記憶装置１０に、少なくとも、記憶装置検出部１０２ａの制御により撮像装置１１２に撮像された画像情報と、撮像された日時情報と、位置・観光地ファイル１０６ａに記憶された位置情報・観光地情報と、を含む撮影情報を格納する撮影情報格納手段である。ここで、撮影情報格納部１０２ｃは、撮影用情報端末装置１００が内蔵する内部クロックに基づいて日時情報を作成してもよい。また、日時情報は、画像が撮像された時間を表す情報であり、日付と時刻とで構成される情報に限られず、年月日から構成される情報であってもよい。ここで、図９は、利用者用記憶装置１０に格納される撮影情報の一例を示す図である。この利用者用記憶装置１０に格納される撮影情報は、一例として図９に示すように、画像情報や、撮影時刻や、名所史跡の位置情報・名称・説明・その他の情報を含む。このように、利用者用記憶装置１０に格納された撮影情報は、利用者が観光地を巡った行動履歴等を表す。以上が、撮影用情報端末装置１００の構成である。
【００６１】
つづいて、本アルバム作成システムにおけるアルバム作成用情報端末装置２００およびアンケート収集装置４００の構成について説明する。図７は、アルバム作成システムを構成するアルバム作成用情報端末装置２００およびアンケート収集装置４００の一例を示すブロック図であり、該構成のうち本発明に関係する部分のみを概念的に示している。図７に示すように、アルバム作成用情報端末装置２００およびアンケート収集装置４００は、ネットワーク３００を介して通信可能に接続して構成されている。図７において、ネットワーク３００は、アルバム作成用情報端末装置２００とアンケート収集装置４００とを相互に接続する機能を有し、例えば、インターネット等である。
【００６２】
図７において、アルバム作成用情報端末装置２００は、概略的に、アルバム作成用情報端末装置２００の全体を統括的に制御するＣＰＵ等の制御部２０２、通信回線等に接続されるルータやアンテナ等の通信部（図示せず）に接続される通信制御インターフェース部２０４、入力装置２１２や出力装置２１４や印刷装置２１６に接続される入出力制御インターフェース部２０８、および、各種のデータベースやテーブルなどを格納する記憶部２０６を備えて構成されており、これら各部は任意の通信路を介して通信可能に接続されている。更に、このアルバム作成用情報端末装置２００は、ルータ等の通信装置および専用線等の有線または無線の通信回線を介して、ネットワーク３００に通信可能に接続されている。
【００６３】
記憶部２０６に格納される各種のデータベースやテーブル（撮影情報ファイル２０６ａ〜観光客情報ファイル２０６ｅ）は、固定ディスク装置等のストレージ手段であり、各種処理に用いる各種のプログラムやテーブルやファイルやデータベース等を格納する。
【００６４】
これら記憶部２０６の各構成要素のうち、撮影情報ファイル２０６ａは、利用者用記憶装置１０から読み込んだ撮影情報を記憶する撮影情報記憶手段である。
【００６５】
また、アルバム情報ファイル２０６ｂは、撮影情報等に基づいて作成されたアルバム情報を記憶するアルバム情報記憶手段である。
【００６６】
また、属性情報ファイル２０６ｃは、利用者により入力装置２１２を介して入力された属性情報を記憶する属性情報記憶手段である。図１０は、属性情報ファイル２０６ｃに格納される属性情報の一例を示す図である。この属性情報ファイル２０６ｃに格納される属性情報は、図１０に示すように、利用者の氏名、年齢、性別、住所等の情報を含む。
【００６７】
また、アンケートファイル２０６ｄは、アンケート設問情報を記憶するアンケート情報記憶手段である。図１１は、アンケートファイル２０６ｄに格納されるアンケート設問情報の一例を示す図である。このアンケートファイル２０６ｄに格納されるアンケート設問情報は、図１１に示すように、アンケート属性や、検索のためのキー情報、設問番号に対応付けた設問内容、選択肢１〜Ｎの中で回答番号に対応付けた回答内容等の情報を含む。
【００６８】
また、観光客情報ファイル２０６ｅは、アンケート設問情報に基づいて利用者により入力装置２１２を介して入力されたアンケート回答情報を利用者属性情報と対応付けて観光客情報として記憶する観光客情報記憶手段である。図１３は、利用者により入力されたアンケート回答情報の一例を示す図である。図１３に示すように、アンケート回答情報は、設問番号に対応付けて利用者により入力装置２１２を介して入力された回答番号が格納されている。また、図１４は、観光客情報ファイル２０６ｅに格納される観光客情報の一例を示す図である。図１４に示すように、観光客情報ファイル２０６ｅに格納される観光客情報は、利用者に対応付けられた情報であり、一例として、氏名や年齢、性別、住所等の利用者の属性情報に対応付けたアンケート回答情報を含む。ここで、観光客情報には、利用者の行動履歴である撮影情報中の位置情報・観光地情報や日時情報を含んでもよい。
【００６９】
再び、図７に戻り、通信制御インターフェース部２０４は、アルバム作成用情報端末装置２００と利用者用記憶装置１０（またはＩＣカードリーダライタ等の通信部）との間における通信制御を行う他、アルバム作成用情報端末装置２００とネットワーク３００（またはルータ等の通信部）との間における通信制御を行う。すなわち、通信制御インターフェース部２０４は、他の端末（利用者用記憶装置１０やアンケート収集装置４００等）と有線または無線の通信回線を介してデータを通信する機能を有する。
【００７０】
また、図７において、入出力制御インターフェース部２０８は、入力装置２１２や出力装置２１４や印刷装置２１６の制御を行う。ここで、出力装置２１４としては、モニタ（家庭用テレビを含む）の他、スピーカを用いることができる（なお、以下においては出力装置２１４をモニタとして記載する場合がある）。また、入力装置２１２としては、キーボード、マウス、およびマイク等を用いることができる。ここで、入力装置２１２と出力装置２１４は、タッチパネルとして構成されてもよい。また、印刷装置２１６としては、カラープリンタを用いてもよい。
【００７１】
また、図７において、制御部２０２は、ＯＳ等の制御プログラム、各種の処理手順等を規定したプログラム、および所要データを格納するための内部メモリを有し、これらのプログラム等により、種々の処理を実行するための情報処理を行う。制御部２０２は、機能概念的に、記憶装置検出読込部２０２ａ、アルバム情報作成部２０２ｂ、アルバム印刷部２０２ｃ、属性情報入力制御部２０２ｄ、問合せ制御部２０２ｅ、回答情報送信部２０２ｆを備えて構成されている。
【００７２】
このうち、記憶装置検出読込部２０２ａは、利用者に利用者用記憶装置１０を提示させるよう出力装置２１４を制御し、通信制御インターフェース部２０４を制御して利用者用記憶装置１０を検出して、利用者用記憶装置１０に格納された撮影情報を読込む記憶装置検出読込手段である。
【００７３】
また、アルバム情報作成部２０２ｂは、記憶装置検出読込部２０２ａにより読込まれた撮影情報等に基づいて、アルバム情報を編集して作成するアルバム情報作成手段である。ここで、アルバム情報作成部２０２ｂは、更に、天候情報やイベント情報等の観光情報に基づいて、アルバム情報を編集してもよい。また、アルバム情報作成部２０２ｂは、撮影情報に格納された位置情報・観光地情報や日時情報に基づいて、道程表を作成してアルバム情報を編集してもよい。また、アルバム情報作成部２０２ｂは、記憶部２０６に記憶されたレイアウト情報に基づいて、利用者に入力装置２１２を介してレイアウトを選択させるよう出力装置２１４を制御し、選択されたレイアウトに従ってアルバム情報を編集してもよい。
【００７４】
また、アルバム印刷部２０２ｃは、アルバム情報作成部２０２ｂにより作成されたアルバム情報を印刷装置２１６に出力するアルバム印刷手段である。
【００７５】
また、属性情報入力制御部２０２ｄは、記憶装置検出読込部２０２ａにより利用者用記憶装置１０が検出された場合に、利用者に入力装置２１２を介して、当該利用者の属性情報を入力させるよう出力装置２１４を制御する属性情報入力制御手段である。
【００７６】
また、問合せ制御部２０２ｅは、利用者により入力された属性情報や、記憶装置検出読込部２０２ａにより読込まれた位置情報・観光地情報や日時情報等をキーとして、ネットワーク３００を介してアンケート収集装置４００に問合せ、アンケート設問情報ＤＢ４０６ａに記憶された対応するアンケート設問情報を取得し、取得したアンケート設問情報を出力装置２１４に出力して、利用者にアンケート回答情報を入力させるよう制御し、入力されたアンケート回答情報を利用者の属性情報や撮影情報に対応付けて観光客情報として観光客情報ファイル２０６ｅに格納する問合せ制御手段である。ここで、問合せ制御部２０２ｅは、記憶装置検出読込部２０２ａにより読込まれた位置情報、観光地情報、および日時情報のうち少なくとも一つをキーとして、ネットワーク３００を介してアンケート収集装置４００に問合せ、アンケート収集装置４００のアンケート設問情報ＤＢ４０６ａに記憶された対応する天候情報やイベント情報等の観光情報を取得してもよい。また、問合せ制御部２０２ｅは、利用者の属性情報や撮影情報等をキーとして、アンケートファイル２０６ｄを検索してアンケート回答情報等を作成・取得してもよい。
【００７７】
また、回答情報送信部２０２ｆは、問合せ制御部２０２ｅにより利用者に入力されたアンケート回答情報を属性情報に対応付けて観光客情報ファイル２０６ｅに格納された観光客情報を、アンケート収集装置４００にネットワーク３００を介して送信する回答情報送信手段である。以上が、アルバム作成用情報端末装置２００の構成である。
【００７８】
図７において、アンケート収集装置４００は、概略的に、アンケート収集装置４００の全体を統括的に制御するＣＰＵ等の制御部４０２、通信回線等に接続されるルータ等の通信装置（図示せず）に接続される通信制御インターフェース部４０４、および、各種のデータベースやテーブルなどを格納する記憶部４０６を備えて構成されており、これら各部は任意の通信路を介して通信可能に接続されている。更に、このアンケート収集装置４００は、ルータ等の通信装置および専用線等の有線または無線の通信回線を介して、ネットワーク３００に通信可能に接続されている。ここで、アンケート収集装置４００は、入出力制御インターフェース部とともに出力装置を備えて構成されてもよい。
【００７９】
記憶部４０６に格納される各種のデータベースやテーブル（アンケート設問情報ＤＢ４０６ａ〜観光客情報ＤＢ４０６ｃ）は、固定ディスク装置等のストレージ手段であり、各種処理に用いる各種のプログラムやテーブルやファイルやデータベースやウェブページ等を格納する。
【００８０】
これら記憶部４０６の各構成要素のうち、アンケート設問情報ＤＢ４０６ａは、アンケート設問情報を記憶するアンケート設問情報蓄積手段である。
【００８１】
また、観光情報ＤＢ４０６ｂは、位置情報・観光地情報や日時情報等に対応付けて、天候情報および／またはイベント情報などの観光情報を記憶する観光情報蓄積手段である。図１２は、観光情報ＤＢ４０６ｂに格納される観光情報の一例を示す図である。この観光情報ＤＢ４０６ｂに格納される観光情報は、一例として図１２に示すように、名所・史跡の位置情報に対応付けた天候情報やイベント情報を含む。なお、アンケート収集装置４００は、天候情報やイベント情報を編集する編集手段を備えて構成してもよい。
【００８２】
また、観光客情報ＤＢ４０６ｃは、ネットワーク３００を介してアルバム作成用情報端末装置２００から受信した観光客情報を記憶する観光客情報蓄積手段である。
【００８３】
また、図７において、通信制御インターフェース部４０４は、アンケート収集装置４００とネットワーク３００（またはルータ等の通信装置）との間における通信制御を行う。すなわち、通信制御インターフェース部４０４は、他の端末と通信回線を介してデータを通信する機能を有する。また、入出力制御インタフェース（図示せず）は、出力装置等の制御を行う。ここで、出力装置としては、モニタ（家庭用テレビを含む）の他、スピーカ、プリンタ、外部記憶デバイス等を用いることができる。
【００８４】
また、図７において、制御部４０２は、ＯＳ等の制御プログラム、各種の処理手順等を規定したプログラム、および所要データを格納するための内部メモリを有し、これらのプログラム等により、種々の処理を実行するための情報処理を行う。制御部４０２は、機能概念的に、問合せ検出部４０２ａと、観光客情報格納部４０２ｂを備えて構成されている。
【００８５】
このうち、問合せ検出部４０２ａは、アルバム作成用情報端末装置２００から受信した問合せキー情報に基づいて、アンケート設問情報ＤＢ４０６ａまたは観光情報ＤＢ４０６ｂを検索し、アンケート設問情報や、天候情報やイベント情報等の観光情報等を、ネットワーク３００を介してアルバム作成用情報端末装置２００に送信する問合せ検索手段である。
【００８６】
また、観光客情報格納部４０２ｂは、ネットワーク３００を介してアルバム作成用情報端末装置２００から受信した観光客情報を観光客情報ＤＢ４０６ｃに格納する観光客情報記憶手段である。ここで、観光客情報格納部４０２ｂは、観光客情報ＤＢ４０６ｃに蓄積された観光客情報に基づいて、マーケティングレポートを作成し、出力装置に出力してもよい。
【００８７】
以上で、本アルバム作成システムの構成の説明を終える。
【００８８】
［アルバム作成システムの処理］
次に、このように構成された本実施の形態における本アルバム作成システムの処理の一例について、以下に図１５〜図１７を参照して詳細に説明する。
【００８９】
［撮影用情報端末装置１００の処理］
撮影用情報端末装置１００の処理の詳細について図１５を参照して説明する。図１５は、本実施の形態におけるアルバム作成システムの撮影用情報端末装置１００の処理の一例を示すフローチャートである。
【００９０】
図１５に示すように、撮影用情報端末装置１００は、制御部１０２の処理により、サービス終了時刻が登録されているか否かを判断する（ステップＳＢ−１）。
【００９１】
そして、サービス終了時刻が未登録の場合（ステップＳＢ−１、未登録）、撮影用情報端末装置１００は、制御部１０２の処理により、管理者にサービス終了時刻を設定させるよう出力装置１１４を制御し、管理者により入力部を介して設定されたサービス終了時刻を記憶部１０６に格納する（ステップＳＢ−２）。
【００９２】
一方、サービス終了時刻が登録されている場合（ステップＳＢ−１、登録済）、撮影用情報端末装置１００は、制御部１０２の処理により、管理者に更新を行うか否か選択させるよう出力装置２１４を制御する（ステップＳＢ−３）。
【００９３】
そして、管理者により更新すると選択された場合（ステップＳＢ−３、更新）、サービス終了時刻を再設定するよう制御し、再設定されたサービス終了時刻を記憶部１０６に格納する（ステップＳＢ−４）。更新しないと選択された場合は（ステップＳＢ−３、更新せず）、そのまま次のステップへ進む。
【００９４】
そして、撮影用情報端末装置１００は、制御部１０２の処理により、位置・観光地ファイル１０６ａを読み出し、位置情報・観光地情報が登録されているか否かを判断する（ステップＳＢ−５）。
【００９５】
そして、位置情報・観光地情報が未登録の場合（ステップＳＢ−５、未登録）、撮影用情報端末装置１００は、制御部１０２の処理により、撮影用情報端末装置１００が設置されている名所・史跡等に関する位置情報・観光地情報を管理者に設定させるよう出力装置１１４を制御し、設定された位置情報・観光地情報を位置・観光地ファイル１０６ａに格納する（ステップＳＢ−６）。
【００９６】
一方、位置情報・観光地情報が登録されている場合（ステップＳＢ−５、登録済）、撮影用情報端末装置１００は、制御部１０２の処理により、管理者に位置情報・観光地情報を更新するか否か選択させるよう出力装置１１４を制御する（ステップＳＢ−７）。
【００９７】
位置情報・観光地情報を更新すると選択された場合（ステップＳＢ−７、更新）、撮影用情報端末装置１００は、制御部１０２の処理により、管理者に位置情報・観光地情報を再設定させるよう出力装置１１４を制御し、再設定された位置情報・観光地情報を位置・観光地ファイル１０６ａに格納する（ステップＳＢ−８）。位置情報・観光地情報を更新しないと選択された場合は（ステップＳＢ−７、更新せず）、処理を行わず、次のステップへ進む。
【００９８】
そして、撮影用情報端末装置１００は、記憶装置検出部１０２ａの処理により、利用者に利用者用記憶装置１０を提示させるよう出力装置１１４を制御する（ステップＳＢ−９）。具体的には、利用者に利用者用記憶装置１０を提示するよう案内するサービス開始画面等を表示する。
【００９９】
そして、撮影用情報端末装置１００は、記憶装置検出部１０２ａの処理により、一定時間が経過したか、または、通信制御インターフェース部１０４を制御することにより利用者用記憶装置１０を検出できたかを判断する（ステップＳＢ−１０）。
【０１００】
通信制御インターフェース部１０４を制御して利用者用記憶装置１０を検知した場合（ステップＳＢ−１０、検知）、撮影用情報端末装置１００は、撮像部１０２ｂの処理により、入出力制御インターフェース部１０８を介して出力装置１１４を制御することによりシャッターボタン画面を表示する（ステップＳＢ−１１）。ここで、撮影用情報端末装置１００は、撮像部１０２ｂの処理により、カメラがセットされている位置を知らせるアナウンスを出力装置１１４に出力してもよい。
【０１０１】
そして、利用者によりシャッターボタンが押下された場合（ステップＳＢ−１２）、撮影用情報端末装置１００は、撮像部１０２ｂの処理により、入出力制御インターフェース部１０８を介して撮像装置１１２を制御して、利用者を含む画像を撮像する（ステップＳＢ−１３）。
【０１０２】
そして、撮影用情報端末装置１００は、撮影情報格納部１０２ｃの処理により、少なくとも、撮像装置１１２により撮像された画像情報と、撮像された日時情報と、位置・観光地ファイル１０６ａに記憶された位置情報・観光地情報と、を含む撮影情報を、通信制御インターフェース部１０４を制御して利用者用記憶装置１０に格納する（ステップＳＢ−１４）。ここで、撮影用情報端末装置１００は、撮影情報格納部１０２ｃの処理により、格納する際に利用者用記憶装置１０が利用者により取り除かれている場合には、利用者に利用者用記憶装置１０を提示させるよう出力装置１１４を制御してもよく、一定時間が経過しても利用者用記憶装置１０が検出できない場合には、次のステップに進んでもよい。
【０１０３】
そして、撮影用情報端末装置１００は、撮影情報格納部１０２ｃの処理により、一時的に記憶した画像情報等を破棄する（ステップＳＢ−１５）。
【０１０４】
そして、撮影用情報端末装置１００は、サービス開始画面に復帰して、以上のステップＳＢ−９〜ＳＢ−１５の一連の処理を繰り返す。
【０１０５】
ここで、撮影用情報端末装置１００は、サービス画面を表示してから一定時間が経過すると（ステップＳＢ−１０、一定時間経過）、制御部１０２の処理により、記憶部１０６に登録されたサービス終了時刻を経過したか否かを判断する（ステップＳＢ−１６）。
【０１０６】
撮影用情報端末装置１００は、制御部１０２の処理により、サービス終了時刻を経過していないと判断すると（ステップＳＢ−１６、経過せず）、再びステップＳＢ−９に戻り、サービス終了時刻を経過したと判断すると（ステップＳＢ−１６、経過）、処理を終了する。これにて、撮影用情報端末装置１００の処理の説明を終える。
【０１０７】
［アルバム作成用情報端末装置２００の処理］
次に、アルバム作成用情報端末装置２００の処理の詳細について図１６を参照して説明する。図１６は、本実施の形態におけるアルバム作成システムのアルバム作成用情報端末装置２００の処理の一例を示すフローチャートである。なお、ステップＳＣ−１〜ＳＣ−４の処理は、上述したステップＳＢ−１〜ＳＢ−４と同様であるので、説明を省略する。
【０１０８】
アルバム作成用情報端末装置２００は、記憶装置検出読込部２０２ａの処理により、利用者に利用者用記憶装置１０を提示させるよう入出力制御インターフェース部２０８を介して出力装置２１４を制御する（ステップＳＣ−５）。具体的には、利用者に利用者用記憶装置１０を提示するよう案内するサービス開始画面等を表示する。
【０１０９】
そして、アルバム作成用情報端末装置２００は、記憶装置検出読込部２０２ａの処理により、一定時間が経過したか、または、通信制御インターフェース部２０４を制御することにより利用者用記憶装置１０を検出できたかを判断する（ステップＳＣ−６）。
【０１１０】
通信制御インターフェース部２０４を制御して利用者用記憶装置１０を検知した場合（ステップＳＣ−６、検知）、アルバム作成用情報端末装置２００は、記憶装置検出読込部２０２ａの処理により、通信制御インターフェース部２０４を制御して利用者用記憶装置１０に格納された撮影情報を読込み、撮影情報ファイル２０６ａに格納する（ステップＳＣ−７）。
【０１１１】
そして、アルバム作成用情報端末装置２００は、属性情報入力制御部２０２ｄの処理により、利用者に入力装置２１２を介して、当該利用者の属性情報を入力させるよう出力装置２１４を制御し、入力された属性情報を属性情報ファイル２０６ｃに格納する（ステップＳＣ−８）。ここで、利用者が団体客であった場合には、属性情報は複数入力させるよう制御してもよい。
【０１１２】
そして、アルバム作成用情報端末装置２００は、問合せ制御部２０２ｅの処理により、属性情報ファイル２０６ｃに格納された当該利用者の属性情報、および、撮影情報ファイル２０６ａに格納された当該利用者の撮影情報をキーとして、アンケートファイル２０６ｄまたはアンケート収集装置４００に問合せを行う（ステップＳＣ−９）。
【０１１３】
そして、アルバム作成用情報端末装置２００またはアンケート収集装置４００は、問合せキー情報に基づいて、アンケートファイル２０６ｄまたはアンケート設問情報ＤＢ４０６ａからアンケートの抽出を実行する（ステップＳＣ−１０）。ここで、図１７は、アンケート抽出処理の一例を示すフローチャートである。ここで、アンケート抽出処理は、アルバム作成用情報端末装置２００が問合せ制御部２０２ｅの処理によりアンケートファイル２０６ｄに対して行ってもよく、アンケート収集装置４００が問合せ検出部４０２ａの処理によりアンケート設問情報ＤＢ４０６ａに対して行ってもよいが、以下の説明では簡単のためアルバム作成用情報端末装置２００がアンケート抽出処理を行う例について説明する（問合せ検出部４０２ａによるアンケート抽出処理も同様）。
【０１１４】
図１７に示すように、アルバム作成用情報端末装置２００は、問合せ制御部２０２ｅの処理により、撮影情報ファイル２０６ａに格納された利用者の撮影情報に基づいて、位置情報・観光地情報に関する名称を選択肢として、もう一度行きたいところを質問するアンケート設問情報（設問番号１）を作成する（ステップＳＣ−１０１）。
【０１１５】
そして、アルバム作成用情報端末装置２００は、問合せ制御部２０２ｅの処理により、撮影情報ファイル２０６ａに格納された利用者の行動履歴である位置情報・観光地情報に基づいて、当該位置情報・観光地情報に関する名所・史跡以外の名所・史跡を選択肢として、今度行ってみたい所を質問するアンケート情報（設問番号２）を作成する（ステップＳＣ−１０２）。
【０１１６】
そして、アルバム作成用情報端末装置２００は、属性情報ファイル２０６ｃに格納された利用者の属性情報のうち年齢情報をキーとして、アンケート種別（年齢）に基づいてアンケートファイル２０６ｄに格納されたアンケート設問情報を検索する（ステップＳＣ−１０３）。
【０１１７】
そして、アルバム作成用情報端末装置２００は、属性情報ファイル２０６ｃに格納された利用者の属性情報のうち住所（都道府県）情報をキーとして、アンケート種別（年齢）に基づいてアンケートファイル２０６ｄに格納されたアンケート設問情報を検索する（ステップＳＣ−１０４）。
【０１１８】
そして、アルバム作成用情報端末装置２００は、撮影情報ファイル２０６ａに格納された利用者の撮影情報のうち位置情報・観光地情報をキーとして、アンケート種別（名所・史跡）に基づいてアンケートファイル２０６ｄに格納されたアンケート設問情報を検索する（ステップＳＣ−１０５）。以上が、アンケート抽出処理の一例である。
【０１１９】
再び図１６に戻り、アルバム作成用情報端末装置２００は、問合せ制御部２０２ｅまたは問合せ検出部４０２ａの処理により抽出されたアンケート情報を取得する（ステップＳＣ−１１）。ここで、アルバム作成用情報端末装置２００は、問合せ制御部２０２ｅの処理により、利用者の撮影情報のうち、位置情報、観光地情報、および日時情報の少なくとも一つをキーとして、アンケート収集装置４００の観光情報ＤＢ４０６ｂに記憶された対応する天候情報やイベント情報等の観光情報を取得してもよい。
【０１２０】
そして、アルバム作成用情報端末装置２００は、問合せ制御部２０２ｅの処理により、取得したアンケート設問情報を出力装置２１４に出力して、利用者にアンケート回答情報を入力装置２１２を介して入力させるよう制御し、入力されたアンケート回答情報を利用者の属性情報や撮影情報に対応付けて観光客情報として観光客情報ファイル２０６ｅに格納する（ステップＳＣ−１２）。
【０１２１】
そして、アルバム作成用情報端末装置２００は、アルバム情報作成部２０２ｂの処理により、記憶装置検出読込部２０２ａにより読込まれた撮影情報等に基づいて、アルバム情報を編集して作成し、アルバム印刷部２０２ｃの処理により、作成されたアルバム情報を印刷装置２１６に出力印刷する（ステップＳＣ−１３）。ここで、アルバム情報作成部２０２ｂは、更に、取得した天候情報やイベント情報等の観光情報や、入力された利用者の属性情報等に基づいて、アルバム情報を編集してもよい。また、アルバム作成用情報端末装置２００は、利用者が団体客（複数）であった場合には、アルバムを複数印刷する。また、アルバムは、表紙、道程、写真および名所・史跡情報より構成されてもよい。
【０１２２】
そして、アルバム作成用情報端末装置２００は、回答情報送信部２０２ｆの処理により、観光客情報ファイル２０６ｅに格納された観光客情報を、ネットワーク３００を介してアンケート収集装置４００に送信する（ステップＳＣ−１４）。これにより、アンケート収集装置４００は、観光客情報格納部４０２ｂの処理により、受信した観光客情報を観光客情報ＤＢ４０６ｃに格納する。
【０１２３】
そして、アルバム作成用情報端末装置２００は、一時的に撮影情報ファイル２０６ａやアルバム情報ファイル２０６ｂや属性情報ファイル２０６ｃに記憶した利用者の情報を破棄する（ステップＳＣ−１５）。
【０１２４】
そして、アルバム作成用情報端末装置２００は、サービス開始画面に復帰して、以上のステップＳＣ−５〜ＳＣ−１５の一連の処理を繰り返す。
【０１２５】
ここで、アルバム作成用情報端末装置２００は、サービス画面を表示してから一定時間が経過すると（ステップＳＣ−６、一定時間経過）、制御部２０２の処理により、記憶部２０６に登録されたサービス終了時刻を経過したか否かを判断する（ステップＳＣ−１６）。
【０１２６】
アルバム作成用情報端末装置２００は、制御部２０２の処理により、サービス終了時刻を経過していないと判断すると（ステップＳＣ−１６、経過せず）、再びステップＳＣ−５に戻り、サービス終了時刻を経過したと判断すると（ステップＳＣ−１６、経過）、処理を終了する。これにて、アルバム作成用情報端末装置２００の処理の説明を終える。
【０１２７】
以上で、本アルバム作成システムにおける処理の説明を終える。
【０１２８】
［実施例（想い出づくり情報キオスク端末）］
つづいて、本実施の形態が適用される本実施例におけるアルバム作成システムについて、以下に図１８を参照して詳細に説明する。図１８は、本実施例におけるアルバム作成システムの処理の一例を示す概念図である。
【０１２９】
本実施例が開発された背景として、観光客（利用者）側では、素人だと良い構図をとるのが難しく写真をうまく撮ることが困難であったり、どこで撮ったものか判らなくなったり、携帯（デジタル）カメラは高齢者には操作が難儀であるという種々の問題点があった。また、観光地（管理者）側としては、観光客の顧客満足度を獲得したいという要求、特にお金と時間を沢山持っている高齢客の誘致や、観光客のリピート率の向上（アフターマーケットの捕捉）を行いたいという要求があった。
【０１３０】
図１８に示すように、（１）まず、観光客が観光地の玄関口（空港・駅・ドライブイン・パーキングエリアなどの観光地の玄関口）に到着すると、非接触ＩＣカード等の利用者用記憶装置１０を交付する。ここで、本実施例において利用者用記憶装置１０は、「通行手形」等の名称を付してもよい。また、ここで、利用者の携帯電話を利用者用記憶装置１０として用いる場合には、携帯電話用のアプリケーションをダウンロードさせる案内を行う。
【０１３１】
そして、（２）観光客が名所・史跡Ａ〜Ｃを訪れた際に、本実施例において写真撮影用情報キオスク端末として構成される撮影用情報端末装置１００に観光客が利用者用記憶装置１０をセットすると、撮影用情報端末装置１００は、名所・史跡を背景に写真を撮影し、撮った画像と名所・史跡に関わる情報（撮影情報）を利用者用記憶装置１０に格納する。なお、図１８に示すように、撮影用情報端末装置１００−１〜３は、各名所・史跡Ａ〜Ｃ毎に設置されている。
【０１３２】
そして、（３）旅の最後に（空港・駅・ドライブイン・パーキングエリアなどの観光地の玄関口にて）、アルバム作成用情報キオスク端末として構成されるアルバム作成用情報端末装置２００に観光客が利用者用記憶装置１０をセットすると、アルバム作成用情報端末装置２００は、道程表付きアルバムを印刷するとともに、観光客の属性情報（氏名、住所、年齢、性別）、行動情報（観光した名所・史跡に関する位置情報・観光地情報）および感想などの意向（アンケート）情報を収集する。なお、本実施例において、印刷されるアルバムには「旅の想い出」という表題を付してもよい。
【０１３３】
そして、（４）アルバム作成用情報端末装置２００にて収集した観光客の情報は、想い出データベースシステムとして構成されるアンケート収集装置４００に集約する。
【０１３４】
これにより、観光振興団体などの管理者は、観光客（利用者）の満足度をアップさせながら、観光客の行動分析や意向分析等を行って観光のマーケティングに活用することができ、地域振興につなげることができる。例えば、収集した観光客情報に基づいて、マーケティングレポート、ダイレクトメールなどを作成し、観光客の誘致に活用することができる。
【０１３５】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１３６】
例えば、撮影用情報端末装置１００やアルバム作成用情報端末装置２００やアンケート収集装置４００は、スタンドアローンの形態で処理を行う場合を一例に説明したが、別筐体で構成されるクライアント端末からの要求に応じて処理を行い、その処理結果を当該クライアント端末に返却するように構成してもよい。
【０１３７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１３９】
また、撮影用情報端末装置１００やアルバム作成用情報端末装置２００やアンケート収集装置４００に関して、図示の各構成要素は機能概念的なものであり、必ずしも物理的に図示の如く構成されていることを要しない。
【０１４０】
例えば、撮影用情報端末装置１００やアルバム作成用情報端末装置２００やアンケート収集装置４００の各装置が備える処理機能、特に制御部１０２や制御部２０２や制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて撮影用情報端末装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４１】
また、このコンピュータプログラムは、撮影用情報端末装置１００やアルバム作成用情報端末装置２００やアンケート収集装置４００に対して任意のネットワークを介して接続されたアプリケーションプログラムサーバに記憶されていてもよく、必要に応じてその全部または一部をダウンロードすることも可能である。
【０１４２】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１４３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４４】
記憶部１０６や記憶部２０６や記憶部４０６に格納される各種のデータベース等は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１４５】
また、撮影用情報端末装置１００やアルバム作成用情報端末装置２００やアンケート収集装置４００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０１４６】
更に、装置の分散・統合の具体的形態は図示するものに限られず、その全部または一部を、各種の負荷等に応じた任意の単位で、機能的または物理的に分散・統合して構成することができる。
【産業上の利用可能性】
【０１４７】
以上詳述に説明したように、本発明によれば、撮像装置に接続された各端末装置をネットワークで接続する必要がなく、観光地等で利用者の写真撮影を行いながら、利用者が観光した行動履歴と対応付けてアルバムを作成することができる、アルバム作成システムを提供することができる。
【図面の簡単な説明】
【０１４８】
【図１】本発明の基本原理を示すフローチャートである。
【図２】利用者用記憶装置１０の構成の一例を示すブロック図である。
【図３】本アルバム作成システムを構成する撮影用情報端末装置１００の構成の一例を示すブロック図である。
【図４】撮像装置１１２に接続された撮影用情報端末装置１００の物理構成の一例を示す図である。
【図５】撮像装置１１２に接続された撮影用情報端末装置１００の物理構成の一例を示す図である。
【図６】撮像装置１１２に接続された撮影用情報端末装置１００の物理構成の一例を示す図である。
【図７】アルバム作成システムを構成するアルバム作成用情報端末装置２００およびアンケート収集装置４００の一例を示すブロック図である。
【図８】位置・観光地ファイル１０６ａに格納される位置情報・観光地情報の一例を示す図である。
【図９】利用者用記憶装置１０に格納される撮影情報の一例を示す図である。
【図１０】属性情報ファイル２０６ｃに格納される属性情報の一例を示す図である。
【図１１】アンケートファイル２０６ｄに格納されるアンケート設問情報の一例を示す図である。
【図１２】観光情報ＤＢ４０６ｂに格納される観光情報の一例を示す図である。
【図１３】利用者により入力されたアンケート回答情報の一例を示す図である。
【図１４】観光客情報ファイル２０６ｅに格納される観光客情報の一例を示す図である。
【図１５】本実施の形態におけるアルバム作成システムの撮影用情報端末装置１００の処理の一例を示すフローチャートである。
【図１６】本実施の形態におけるアルバム作成システムのアルバム作成用情報端末装置２００の処理の一例を示すフローチャートである。
【図１７】アンケート抽出処理の一例を示すフローチャートである。
【図１８】本実施例におけるアルバム作成システムの処理の一例を示す概念図である。
【符号の説明】
【０１４９】
１０  利用者用記憶装置
１４  通信部
１６  記憶部
１００  撮影用情報端末装置
１０２  制御部
１０２ａ  記憶装置検出部
１０２ｂ  撮像部
１０２ｃ  撮影情報格納部
１０４  通信制御インターフェース部
１０６  記憶部
１０６ａ  位置・観光地ファイル
１０８  入出力制御インターフェース部
１１２  撮像装置
１１４  出力装置
２００  アルバム作成用情報端末装置
２０２  制御部
２０２ａ  記憶装置検出読込部
２０２ｂ  アルバム情報作成部
２０２ｃ  アルバム印刷部
２０２ｄ  属性情報入力制御部
２０２ｅ  問合せ制御部
２０２ｆ  回答情報送信部
２０４  通信制御インターフェース部
２０６  記憶部
２０６ａ  撮影情報ファイル
２０６ｂ  アルバム情報ファイル
２０６ｃ  属性情報ファイル
２０６ｄ  アンケートファイル
２０６ｅ  観光客情報ファイル
２０８  入出力制御インターフェース部
２１２  入力装置
２１４  出力装置
２１６  印刷装置
３００  ネットワーク
４００  アンケート収集装置
４０２  制御部
４０２ａ  問合せ検出部
４０２ｂ  観光客情報格納部
４０４  通信制御インターフェース部
４０６  記憶部
４０６ａ  アンケート設問情報データベース（ＤＢ）
４０６ｂ  観光情報データベース（ＤＢ）
４０６ｃ  観光客情報データベース（ＤＢ）
【図１】
2009169546.tif 000003
【図２】
2009169546.tif 000004
【図３】
2009169546.tif 000005
【図４】
2009169546.tif 000006
【図５】
2009169546.tif 000007
【図６】
2009169546.tif 000008
【図７】
2009169546.tif 000009
【図８】
2009169546.tif 000010
【図９】
2009169546.tif 000011
【図１０】
2009169546.tif 000012
【図１１】
2009169546.tif 000013
【図１２】
2009169546.tif 000014
【図１３】
2009169546.tif 000015
【図１４】
2009169546.tif 000016
【図１５】
2009169546.tif 000017
【図１６】
2009169546.tif 000018
【図１７】
2009169546.tif 000019
【図１８】
2009169546.tif 000020